(57)【要約】【課題】ユーザが印刷を指示した際に、印刷指示された情報が表示端末で表示されていた際にユーザが行った操作に関係した情報を、印刷の指示された情報と共に印刷させる表示端末を提供する。【解決手段】ユーザが表示端末を操作してページを更新させると、その履歴情報が記録される。履歴情報が集計され（Ｓ９１）、ページ切替方法がリンクジャンプの履歴があれば（Ｓ９２：ＹＥＳ）、最も多くリンクで切替したページが裏面に印刷される（Ｓ９５，Ｓ１００，Ｓ１０１）。リンクジャンプの履歴がなく（Ｓ９３：ＮＯ）、ページ番号指定の履歴があれば（Ｓ９３：ＹＥＳ）、最も多くページ番号指定で切替したページが裏面に印刷される（Ｓ９６，Ｓ１００，Ｓ１０１）。ページ番号指定の履歴もなければ（Ｓ９４：ＮＯ）、印刷ページに含まれているマーキングの辞書情報が裏面に印刷される（Ｓ９７，Ｓ９８，Ｓ１００，Ｓ１０１）。【選択図】図１８
2009070273.tif 000002
【特許請求の範囲】
【請求項１】
画像を表示する表示手段と、前記表示手段に表示可能な情報であるコンテンツを記憶するコンテンツ記憶手段とを備えた表示端末であって、
前記表示手段に表示する情報を切り替える指示を行う切替指示手段と、
前記表示手段に表示させる情報であり、前記コンテンツ記憶手段に記憶されているコンテンツの少なくとも一部である表示対象情報を、前記切替指示手段による指示に基づいて切り替える切替手段と、
前記切替手段により前記表示対象情報が切り替えられた際に、切り替え前の表示対象情報である切替前情報と切り替え後の表示対象情報である切替後情報とを対応付けた切替履歴を記憶する切替履歴記憶手段と、
前記コンテンツの全部及び一部のいずれかの印刷を指示する印刷指示手段と、
前記コンテンツの前記印刷指示手段により印刷指示された部分である印刷部分の少なくとも一部が前記切替履歴記憶手段に記憶されているいずれかの切替履歴の示す切替前情報に含まれる場合、当該切替前情報に対応付けられている切替後情報である対応切替後情報、及び、前記印刷部分と共に印刷させる印刷データを作成する第一印刷データ作成手段と、
前記第一印刷データ作成手段により作成された印刷データを前記印刷装置に送信する第一印刷データ送信手段ことを備えたことを特徴とする表示端末。
【請求項２】
前記第一印刷データ作成手段は、前記印刷部分を印刷する面の裏面に前記対応切替後情報を印刷させる印刷データを作成することを特徴とする請求項１に記載の表示端末。
【請求項３】
前記第一印刷データ作成手段は、前記対応切替後情報のうち、所定数、又は、同一の前記対応切替後情報を１つの種類として計数した際の当該種類の数のうち所定割合の数の前記対応切替後情報を、前記印刷部分と共に印刷させる情報である印刷切替後情報とした印刷データを作成することを特徴とする請求項１又は２に記載の表示端末。
【請求項４】
前記第一印刷データ作成手段は、前記対応切替後情報のうち、前記切替履歴記憶手段に記憶されている数が多いものから、所定数又は、前記種類の数のうち所定割合の数の前記対応切替後情報を、前記印刷切替後情報とした印刷データを作成することを特徴とする請求項３に記載の表示端末。
【請求項５】
前記コンテンツ記憶手段は、
前記コンテンツ中の一部の情報に対応付けて、前記表示手段へ他の情報を表示させる指示であるリンク情報を記憶し、
前記切替指示手段は、
前記リンク情報が対応付けられた情報であるリンク対応情報を指定することにより前記表示対象情報の切替を指示し、
前記切替手段は、
前記切替指示手段により指定された前記リンク対応情報に対応付けられた前記リンク情報の示す他の情報に前記表示対象情報を切り替えることを特徴とする請求項１乃至４のいずれかに記載の表示端末。
【請求項６】
前記切替指示手段は、
前記コンテンツ記憶手段に記憶されたコンテンツのうちで前記表示対象情報に切り替えたいコンテンツである切替先コンテンツの表示開始位置、又は、コンテンツの一部分を指定することにより前記表示対象情報の切替を指示し、
前記切替手段は、
前記表示指定手段により前記コンテンツの前記表示開始位置又は前記一部分が指示された際に、前記切替先コンテンツのうち前記表示開始位置から前記表示手段に表示可能な量の情報、又は、前記切替先コンテンツの前記一部分の情報に前記表示対象情報を切り替えることを特徴とする請求項１乃至５のいずれかに記載の表示端末。
【請求項７】
前記表示手段に一度に表示される量の情報を１ページとし、
前記コンテンツ記憶手段は、前記コンテンツをページ単位で記憶し、
前記表示指定手段は、ページを指定することにより前記切替先コンテンツの前記一部分を指定することを特徴とする請求項３に記載の表示端末。
【請求項８】
前記コンテンツ記憶手段は、
前記コンテンツ中の一部の情報に対応付けて、前記表示手段へ他の情報を表示させる指示であるリンク情報を記憶し、
前記切替指示手段は
前記リンク情報が対応付けられた情報であるリンク対応情報を指定すること、又は、前記コンテンツ記憶手段に記憶されたコンテンツのうちで前記表示対象情報に切り替えたいコンテンツである切替先コンテンツの表示開始位置、又は、コンテンツの一部分を指定することにより前記表示対象情報の切替を指示し、
前記切替手段は、
前記切替指示手段により前記リンク対応情報が指定された場合には、当該リンク対応情報に対応付けられた前記リンク情報の示す他の情報に前記表示対象情報を切り替え、
前記表示指定手段により前記コンテンツの前記表示開始位置が指示された場合には、前記切替先コンテンツのうち前記表示開始位置から前記表示手段に表示可能な量の情報に前記表示対象情報を切り替え、
前記表示指定手段により前記コンテンツの前記一部分が指示された場合には、前記切替先コンテンツの前記一部分の情報に前記表示対象情報を切り替え、
前記第一印刷データ作成手段は、
前記対応切替後情報のうち、前記リンク指定手段により指定されて前記表示情報が切り替えられた際の前記対応切替後情報のうち切替履歴として記憶されている数の最も多い前記対応切替後情報を前記印刷部分と共に印刷させる情報である印刷切替後情報とし、さらに、前記リンク指定手段により指定されて前記表示情報が切り替えられた際の前記対応切替後情報がない場合には、前記表示指定手段により指定された前記表示情報が切り替えられた際の前記対応切替後情報のうち切替履歴として記憶されている数の最も多い前記対応切替後情報を印刷切替後情報として印刷データを作成することを特徴とする請求項１又は２に記載の表示端末。
【請求項９】
画像を表示する表示手段と、前記表示手段に表示可能な情報であるコンテンツを記憶するコンテンツ記憶手段とを備えた表示端末であって、
前記表示手段に表示されている情報の一部の情報にマークを付与するマーキング手段と、
前記コンテンツの印刷を指示する印刷指示手段と、
前記印刷指示手段により印刷指示されたコンテンツである印刷部分に前記マーキング手段によりマークが付与された情報であるマーク情報が含まれる場合、当該マーク情報に関連する情報である関連情報と、前記印刷部分とを共に印刷させる印刷データを作成する第二印刷データ作成手段と、
前記第二印刷データ作成手段により作成された印刷データを前記印刷装置に送信する第二印刷データ送信手段ことを備えたことを特徴とする表示端末。
【請求項１０】
前記第二印刷データ作成手段は、前記表示情報を印刷する面の裏面に前記関連情報を印刷させる印刷データを作成することを特徴とする請求項９に記載の表示端末。
【請求項１１】
前記関連情報と、当該関連情報を示す情報である語句情報とを対応付けた辞書情報を記憶した辞書情報記憶手段を備え、
前記第二印刷データ作成手段は、
前記マーク情報に一致する前記語句情報を前記辞書情報から検索し、検索された前記語句情報に対応付けられている前記関連情報を前記印刷部分と併せて印刷させる関連情報とすることを特徴とする請求項９又は１０に記載の表示端末。
【請求項１２】
請求項１乃至１１のいずれかに記載の表示端末の各種処理手段としてコンピュータを動作させることを特徴とする表示端末プログラム。
【発明の詳細な説明】
【技術分野】
【０００１】
本発明は、表示端末及び表示端末プログラムに関するものであり、詳細には、情報を印刷させる際に、印刷させる情報に関係する情報も印刷させる表示端末及び表示端末プログラムに関するものである。
【背景技術】
【０００２】
従来、用紙の両面に印刷する機能を持った印刷装置に対して、ユーザにより印刷指示された原文に関連する情報を、印刷紙の裏面に印刷する装置が提案されている（特許文献１）。特許文献１に記載の発明の装置では、ユーザにより印刷指示された原文の中から要参照語句を抽出し、その要参照語句に関連する情報を裏面に印刷する装置が提案されている。
【特許文献１】特開２００６−２６２１５２号公報
【発明の開示】
【発明が解決しようとする課題】
【０００３】
しかしながら、特許文献１に記載の装置では、ユーザにより印刷指示された原文の中から自動的に要参照語句が抽出されるため、ユーザが望まない情報が裏面に印刷される場合があるという問題点がある。
【０００４】
本発明は、上述の問題点を解決するためになされたものであり、ユーザが印刷を指示した際に、ユーザが所望する情報を、印刷の指示された情報と共に印刷させる表示端末及び表示端末プログラムを提供することを目的とする。
【課題を解決するための手段】
【０００５】
上記課題を解決するため、請求項１に係る発明の表示端末では、画像を表示する表示手段と、前記表示手段に表示可能な情報であるコンテンツを記憶するコンテンツ記憶手段とを備えた表示端末であって、前記表示手段に表示する情報を切り替える指示を行う切替指示手段と、前記表示手段に表示させる情報であり、前記コンテンツ記憶手段に記憶されているコンテンツの少なくとも一部である表示対象情報を、前記切替指示手段による指示に基づいて切り替える切替手段と、前記切替手段により前記表示対象情報が切り替えられた際に、切り替え前の表示対象情報である切替前情報と切り替え後の表示対象情報である切替後情報とを対応付けた切替履歴を記憶する切替履歴記憶手段と、前記コンテンツの全部及び一部のいずれかの印刷を指示する印刷指示手段と、前記コンテンツの前記印刷指示手段により印刷指示された部分である印刷部分の少なくとも一部が前記切替履歴記憶手段に記憶されているいずれかの切替履歴の示す切替前情報に含まれる場合、当該切替前情報に対応付けられている切替後情報である対応切替後情報、及び、前記印刷部分と共に印刷させる印刷データを作成する第一印刷データ作成手段と、前記第一印刷データ作成手段により作成された印刷データを前記印刷装置に送信する第一印刷データ送信手段ことを備えたことを特徴とする。
【０００６】
また、請求項２に係る発明の表示端末では、請求項１に記載の発明の構成に加えて、前記第一印刷データ作成手段は、前記印刷部分を印刷する面の裏面に前記対応切替後情報を印刷させる印刷データを作成することを特徴とする。
【０００７】
また、請求項３に係る発明の表示端末では、請求項１又は２に記載の発明の構成に加えて、前記第一印刷データ作成手段は、前記対応切替後情報のうち、所定数、又は、同一の前記対応切替後情報を１つの種類として計数した際の当該種類の数のうち所定割合の数の前記対応切替後情報を、前記印刷部分と共に印刷させる情報である印刷切替後情報とした印刷データを作成することを特徴とする。
【０００８】
また、請求項４に係る発明の表示端末では、請求項３に記載の発明の構成に加えて、前記第一印刷データ作成手段は、前記対応切替後情報のうち、前記切替履歴記憶手段に記憶されている数が多いものから、所定数又は、前記種類の数のうち所定割合の数の前記対応切替後情報を、前記印刷切替後情報とした印刷データを作成することを特徴とする。
【０００９】
また、請求項５に係る発明の表示端末では、請求項１乃至４のいずれかに記載の発明の構成に加えて、前記コンテンツ記憶手段は、前記コンテンツ中の一部の情報に対応付けて、前記表示手段へ他の情報を表示させる指示であるリンク情報を記憶し、前記切替指示手段は、前記リンク情報が対応付けられた情報であるリンク対応情報を指定することにより前記表示対象情報の切替を指示し、前記切替手段は、前記切替指示手段により指定された前記リンク対応情報に対応付けられた前記リンク情報の示す他の情報に前記表示対象情報を切り替えることを特徴とする。
【００１０】
また、請求項６に係る発明の表示端末では、請求項１乃至５のいずれかに記載の発明の構成に加えて、前記切替指示手段は、前記コンテンツ記憶手段に記憶されたコンテンツのうちで前記表示対象情報に切り替えたいコンテンツである切替先コンテンツの表示開始位置、又は、コンテンツの一部分を指定することにより前記表示対象情報の切替を指示し、前記切替手段は、前記表示指定手段により前記コンテンツの前記表示開始位置又は前記一部分が指示された際に、前記切替先コンテンツのうち前記表示開始位置から前記表示手段に表示可能な量の情報、又は、前記切替先コンテンツの前記一部分の情報に前記表示対象情報を切り替えることを特徴とする。
【００１１】
また、請求項７に係る発明の表示端末では、請求項３に記載の発明の構成に加えて、前記表示手段に一度に表示される量の情報を１ページとし、前記コンテンツ記憶手段は、前記コンテンツをページ単位で記憶し、前記表示指定手段は、ページを指定することにより前記切替先コンテンツの前記一部分を指定することを特徴とする。
【００１２】
また、請求項８に係る発明の表示端末では、請求項１又は２に記載の発明の構成に加えて、前記コンテンツ記憶手段は、前記コンテンツ中の一部の情報に対応付けて、前記表示手段へ他の情報を表示させる指示であるリンク情報を記憶し、前記切替指示手段は前記リンク情報が対応付けられた情報であるリンク対応情報を指定すること、又は、前記コンテンツ記憶手段に記憶されたコンテンツのうちで前記表示対象情報に切り替えたいコンテンツである切替先コンテンツの表示開始位置、又は、コンテンツの一部分を指定することにより前記表示対象情報の切替を指示し、前記切替手段は、前記切替指示手段により前記リンク対応情報が指定された場合には、当該リンク対応情報に対応付けられた前記リンク情報の示す他の情報に前記表示対象情報を切り替え、前記表示指定手段により前記コンテンツの前記表示開始位置が指示された場合には、前記切替先コンテンツのうち前記表示開始位置から前記表示手段に表示可能な量の情報に前記表示対象情報を切り替え、前記表示指定手段により前記コンテンツの前記一部分が指示された場合には、前記切替先コンテンツの前記一部分の情報に前記表示対象情報を切り替え、前記第一印刷データ作成手段は、前記対応切替後情報のうち、前記リンク指定手段により指定されて前記表示情報が切り替えられた際の前記対応切替後情報のうち切替履歴として記憶されている数の最も多い前記対応切替後情報を前記印刷部分と共に印刷させる情報である印刷切替後情報とし、さらに、前記リンク指定手段により指定されて前記表示情報が切り替えられた際の前記対応切替後情報がない場合には、前記表示指定手段により指定された前記表示情報が切り替えられた際の前記対応切替後情報のうち切替履歴として記憶されている数の最も多い前記対応切替後情報を印刷切替後情報として印刷データを作成することを特徴とする。
【００１３】
また、請求項９に係る発明の表示端末では、画像を表示する表示手段と、前記表示手段に表示可能な情報であるコンテンツを記憶するコンテンツ記憶手段とを備えた表示端末であって、前記表示手段に表示されている情報の一部の情報にマークを付与するマーキング手段と、前記コンテンツの印刷を指示する印刷指示手段と、前記印刷指示手段により印刷指示されたコンテンツである印刷部分に前記マーキング手段によりマークが付与された情報であるマーク情報が含まれる場合、当該マーク情報に関連する情報である関連情報と、前記印刷部分とを共に印刷させる印刷データを作成する第二印刷データ作成手段と、前記第二印刷データ作成手段により作成された印刷データを前記印刷装置に送信する第二印刷データ送信手段ことを備えたことを特徴とする。
【００１４】
また、請求項１０に係る発明の表示端末では、請求項９に記載の発明の構成に加えて、前記第二印刷データ作成手段は、前記表示情報を印刷する面の裏面に前記関連情報を印刷させる印刷データを作成することを特徴とする。
【００１５】
また、請求項１１に係る発明の表示端末では、請求項９又は１０に記載の発明の構成に加えて、前記関連情報と、当該関連情報を示す情報である語句情報とを対応付けた辞書情報を記憶した辞書情報記憶手段を備え、前記第二印刷データ作成手段は、前記マーク情報に一致する前記語句情報を前記辞書情報から検索し、検索された前記語句情報に対応付けられている前記関連情報を前記印刷部分と併せて印刷させる関連情報とすることを特徴とする。
【００１６】
また、請求項１２に係る発明の表示端末プログラムでは、請求項１乃至１１のいずれかに記載の表示端末の各種処理手段としてコンピュータを動作させることを特徴とする。
【発明の効果】
【００１７】
請求項１に係る発明の表示端末では、ユーザの指示による表示対象情報の切替が行われた際には、切替前の表示対象情報（切替前情報）と切替後の表示対象情報（切替後情報）を対応付けて履歴として記憶することができる。そして、印刷指示が行われた際には、印刷指示された印刷部分と共に、切替履歴において印刷部分の一部が少なくとも含まれる切替前情報に対応付けられている切替後情報を印刷することができる。よって、ユーザが実際に行った操作に基づいた情報を、印刷部分と共に印刷することができる。したがって、ユーザが操作を行った、すなわちユーザが何らかの関心を持った情報を印刷部分と共に印刷することができる。
【００１８】
また、請求項２に係る発明の表示端末では、請求項１に記載の発明の効果に加えて、対応切替後情報は、印刷部分の裏面に印刷されるので、印刷部分と同じ面に印刷される場合よりも、印刷部分の邪魔にならない。また、別の印刷媒体に印刷されると、印刷部分と対応切替後情報が別れ別れになってしまう可能性があるが、裏面に印刷されれば印刷部分と対応切替後情報とが別れ別れになってしまうことがないので、対応切替後情報が紛失してしまったり、対応切替後情報が何に対応して印刷されたものであるかがわからなくなってしまうことがない。また、裏面に印刷された方が印刷媒体の節約できる。
【００１９】
また、請求項３に係る発明の表示端末では、請求項１又は２に記載の発明の効果に加えて、対応切替後情報のうち所定数、又は、切替後情報の種類の数のうちの所定割合の数、又は、同一の切替後情報を１つと数えた場合の切替後情報の種類の数のうちの所定割合の数だけの前記対応切替後情報を、印刷部分に併せて印刷することができる。したがって、切替後情報が多数ある場合であっても、全ての切替後情報は印刷されないので、ユーザが実際に行った操作に基づいた情報が、多数印刷されて煩雑になることがない。
【００２０】
また、請求項４に係る発明の表示端末では、請求項３に記載の発明の効果に加えて、対応切替後情報のうち記憶されている数の多い対応切替後情報が、印刷部分に併せて印刷される。したがって、切替後情報が多数ある場合であっても、ユーザが多く切り替えた対応切替後情報が優先して印刷される。ユーザによる切替の操作が多いほど、ユーザの関心も強いことが多いので、ユーザの関心の強い情報を印刷切替後情報として印刷部分に併せて印刷することができる。
【００２１】
また、請求項５に係る発明の表示端末では、請求項１乃至４のいずれかに記載の発明の効果に加えて、リンクにより表示対象情報を切り替えることができる。よって、リンク先の情報を切替後情報として切替履歴に記録することができる。
【００２２】
また、請求項６に係る発明の表示端末では、請求項１乃至５のいずれかに記載の発明の効果に加えて、ユーザが表示対象情報に切り替えたい切替先コンテンツの開始位置や一部分を指定して、ユーザが表示させたい情報を指定することができる。よって、開始位置を指定したり、一部分を指定したりして切り替えた表示対象情報も切替履歴に記録することができる。
【００２３】
また、請求項７に係る発明の表示端末では、請求項３に記載の発明の効果に加えて、ページ指定により表示情報を切り替えることができる。したがって、ページ指定して切り替えた表示情報も切替履歴に記録することができる。
【００２４】
また、請求項８に係る発明の表示端末では、請求項１又は２に記載の発明の効果に加えて、リンクにより表示情報を切り替えることができ、ユーザが表示対象情報に切り替えたい切替先コンテンツの開始位置や一部分を指定して、ユーザが表示させたい情報を指定することができる。よって、リンク先の情報を切替後情報として切替履歴に記録することができ、開始位置や一部分を指定して切り替えた表示情報も切替履歴に記録することができる。そして、リンクによる表示情報の切替が優先的に印刷部分に併せて印刷され、その中でも切り替えられた回数の多い切替後情報（リンク先の情報）が印刷される。そして、リンクによる表示情報の切替がない場合には、開始位置や一部分の指定による表示情報の切替の中で最も多く切り替えられた切替後情報が印刷部分に併せて印刷される。よって、ユーザの操作に基づいて印刷部分と合わせて印刷される印刷切替後情報が決定されているので、ユーザがより関心を持ったと考えられる情報を印刷部分に併せて印刷することができる。
【００２５】
また、請求項９に係る発明の表示端末では、印刷指示された印刷部分にマーキングされた情報(マーク情報)があると、マーク情報に関連する情報(関連情報)が印刷部分に併せて印刷される。マーキングされた情報は、ユーザが関心を持った情報であるので、ユーザの関心から派生した情報が印刷されることになり、ユーザが関心を持つ可能性が高い情報が印刷される。
【００２６】
また、請求項１０に係る発明の表示端末では、請求項９に記載の発明の効果に加えて、対応切替後情報は、印刷部分の裏面に印刷されるので、印刷部分と同じ面に印刷される場合よりも、印刷部分の邪魔にならない。また、別の印刷媒体に印刷されると、印刷部分と対応切替後情報が別れ別れになってしまう可能性があるが、裏面に印刷されれば別れ別れになってしまうことがない。また、裏面に印刷された方が印刷媒体の節約できる。
【００２７】
また、請求項１１に係る発明の表示端末では、請求項９又は１０に記載の発明の効果に加えて、辞書情報が記憶されており、マーク情報に関連する関連情報を辞書情報から検索することができる。よって、ユーザがマークしたマーク情報に関連する関連情報を表示端末において取得することができ、印刷部分と共に印刷することができる。
【００２８】
また、請求項１２に係る発明の表示端末プログラムでは、コンピュータに実行させることにより請求項１乃至１１のいずれかに記載の発明の効果と同様の効果を奏することができる。
【発明を実施するための最良の形態】
【００２９】
以下、本発明の実施の形態について図面を参照して説明する。まず、図１及び図２を参照して、本実施の形態での表示端末１について説明する。図１は、表示端末１の外観図であり、図２は、表示端末１の電気的構成を示すブロック図である。
【００３０】
図１に示すように、表示端末１は、その正面に表示パネル１５が設けられている。この表示パネル１５の上には、同じサイズのタッチパネル１９が設けられている。そして、タッチパネル１９をタッチするためのペン２１が付属品として備えられている。そして、表示パネル１５の下部には、メニューキー１６１，一覧キー１６２，前頁キー１６３，次頁キー１６４からなる操作キー１６が設けられている。
【００３１】
そして、図２に示すように、表示端末１には、表示端末１の制御を司るＣＰＵ１０が設けられ、ＣＰＵ１０には、表示端末１を動作させるための表示端末プログラム等を記憶したＲＯＭ１１と、各種のデータを一時的に記憶するＲＡＭ１２と、各種データを記憶したＥＥＰＲＯＭ１３と、表示パネル１５の制御を行う表示コントローラ１４と、ユーザによる入力を受け付ける操作キー１６と、タッチパネル１９と、印刷装置２と接続するための印刷装置インタフェイス１７と、メモリカード２０を接続するためのメモリカードコントローラ１８とがバスを介して接続されている。なお、本実施の形態の印刷装置２は、両面印刷機能を有した印刷装置である。
【００３２】
本実施の形態のコンテンツはページ単位のデータを複数備えている。表示端末１では、コンテンツ表示中に、前頁キー１６３，次頁キー１６４が押下されることにより、表示中のページを切り替える。本実施の形態の表示端末１では、後述の印刷指示の操作が行われると、その操作前に表示パネル１５に表示されていたコンテンツの表示ページ（印刷ページ）を印刷させるための印刷データが作成される。以下、印刷ページのコンテンツを「印刷コンテンツ」という。このとき作成される印刷データは、記録紙の表面には印刷部分を、裏面には表面に印刷されるコンテンツに関係する情報を印刷させる印刷データが作成される。そして表示端末１で作成された印刷データは印刷装置２へ送信され、印刷装置２において、表面には印刷ページが印刷され、裏面には表面に印刷されるコンテンツに関係する情報が印刷された記録紙が排出される。
【００３３】
次に、図３及び図４を参照して、ＲＯＭ１１に設けられている記憶エリアついて説明する。図３は、ＲＯＭ１１に設けられている記憶エリアの構成を示す模式図であり、図４は、辞書インデックス記憶エリア１１３の構成を示す模式図である。
【００３４】
図３に示すように、ＲＯＭ１１には、表示端末プログラム記憶エリア１１１，辞書情報記憶エリア１１２，辞書インデックス記憶エリア１１３が少なくとも設けられている。表示端末プログラム記憶エリア１１１には、表示端末１を制御するための表示端末プログラムが記憶されている。辞書情報記憶エリア１１２には、辞書情報が記憶されている。辞書情報には、キーワードに対応して、そのキーワードに関する情報（例えば、意味、語源、使用例）がページ単位で記憶されている。以下、このキーワードに関する情報をキーワードページという。辞書インデックス記憶エリア１１３には、辞書情報に登録されているキーワードに対応して、辞書情報でそのキーワードがどの位置（ページ）に記憶されているかを示す情報（インデックス）が記憶される。
【００３５】
図４に示すように、辞書キーワード欄及びキーワードページ欄が設けられている。辞書キーワード欄には、辞書情報に登録されているキーワードが記憶され、キーワードページ欄には、辞書キーワード欄のキーワードが辞書情報に記憶されているページ番号が記憶されている。
【００３６】
次に、図５及び図６を参照して、メモリカード２０について説明する。図５は、メモリカード２０に設けられている記憶エリアの構成を示す模式図であり、図６は、履歴情報記憶エリア２２０の構成を示す模式図である。図５に示すように、メモリカード２０には、コンテンツ情報記憶エリア２１０，履歴情報記憶エリア２２０が少なくとも設けられている。コンテンツ情報記憶エリア２１０には、コンテンツ自体のデータ（以下、「コンテンツデータ」という）及びコンテンツに関する情報（例えば、コンテンツ名，コンテンツＩＤ）が記憶されている。履歴情報記憶エリア２２０には、コンテンツが表示パネル１５に表示されている際の操作履歴が記憶される。
【００３７】
図６に示すように、履歴情報記憶エリア２２０には、切替前情報欄、切替方法欄及び切替後情報欄が設けられており、切替後情報欄には切替後コンテンツＩＤ欄及び切替後ページ番号欄が設けられている。この履歴情報記憶エリア２２０には、コンテンツを表示パネル１５に表示させている際に表示中のページを切り替えた履歴が記憶される。切替方法には、「ページめくり」，「リンクジャンプ」，「ページ番号指定」の３つの方法がある。「ページめくり」は、前頁キー１６３の押下により１つ前のページを表示させたり、次頁キー１６４の押下により１つ後のページを表示させたりする方法である。「リンクジャンプ」は、リンク先のページを示すリンク情報が埋め込まれている文字列（図１に示す表示パネル１５では、下線のある文字列）をペン２１により選択して、リンク先のページを表示させる方法である。リンク情報には、コンテンツＩＤ及びページ番号、又はコンテンツＩＤのみが示されている（図１２の文字列２０４，２０５参照）。コンテンツＩＤ及びページ番号が指定されている場合には、指定されたコンテンツの指定のページに切り替えられ、コンテンツＩＤのみが示されている場合には、指定されたコンテンツの１ページ目にれる。「ページ指定」は、ユーザが所定のページ番号を入力して、表示中コンテンツの指定されたページに切り替えられる。
【００３８】
そして、切替前情報欄には切替前に表示されていたコンテンツのコンテンツＩＤが記憶され、切替後情報欄の切替後コンテンツＩＤ欄には、切替後のコンテンツのコンテンツＩＤが記憶され、切替後ページ番号欄には、切替後のコンテンツのページ番号が記憶される。図６に示す例では、コンテンツＩＤ「０７０７１７０１」のコンテンツが表示されている状態で、「ページめくり」が行われ、コンテンツＩＤ「０７０７１７０１」のコンテンツの２ページが表示されている。コンテンツＩＤ「０７０７１７０１」のコンテンツが表示されている状態で、コンテンツＩＤ「０７０７１７３５」のコンテンツの１ページ目への「リンクジャンプ」が指定され、そのページが表示されている。コンテンツＩＤ「０７０７１７３５」のコンテンツが表示されている状態で、「ページめくり」が行われ、コンテンツＩＤ「０７０７１７３５」のコンテンツの２ページが表示されている。コンテンツＩＤ「０７０７１７３５」のコンテンツが表示されている状態で、コンテンツＩＤ「０７０７１７３５」のコンテンツの１５ページ目への「ページ番号指定」が指定され、そのページが表示されている。コンテンツＩＤ「０７０７１７３５」のコンテンツが表示されている状態で、コンテンツＩＤ「０７０７１７０１」のコンテンツの８ページ目への「リンクジャンプ」が指定され、そのページが表示されている。コンテンツＩＤ「０７０７１７０１」のコンテンツが表示されている状態で、コンテンツＩＤ「０７０７１７０８」のコンテンツの３ページ目への「リンクジャンプ」が指定され、そのページが表示されている。コンテンツＩＤ「０７０７１７０８」のコンテンツが表示されている状態で、「ページめくり」が行われ、コンテンツＩＤ「０７０７１７０８」のコンテンツの４ページが表示されている。コンテンツＩＤ「０７０７１７０８」のコンテンツが表示されている状態で、「ページめくり」が行われ、コンテンツＩＤ「０７０７１７０８」のコンテンツの５ページが表示されている。コンテンツＩＤ「０７０７１７０８」のコンテンツが表示されている状態で、コンテンツＩＤ「０７０７１７０１」のコンテンツの９ページ目への「リンクジャンプ」が指定され、そのページが表示されている。コンテンツＩＤ「０７０７１７０１」のコンテンツが表示されている状態で、コンテンツＩＤ「０７０７１７０１」のコンテンツの５ページ目への「ページ番号指定」が指定され、そのページが表示されている。コンテンツＩＤ「０７０７１７０１」のコンテンツが表示されている状態で、コンテンツＩＤ「０７０７１７３５」のコンテンツの１ページ目への「リンクジャンプ」が指定され、そのページが表示されている。コンテンツＩＤ「０７０７１７３５」のコンテンツが表示されている状態で、コンテンツＩＤ「０７０７１７０１」のコンテンツの８ページ目への「リンクジャンプ」が指定され、そのページが表示されている。コンテンツＩＤ「０７０７１７０１」のコンテンツが表示されている状態で、コンテンツＩＤ「０７０７１７３５」のコンテンツの１ページ目への「リンクジャンプ」が指定され、そのページが表示されている。
【００３９】
次に、図７及び図８を参照して、ＲＡＭ１２に設けられている記憶エリアについて説明する。図７は、ＲＡＭ１２に設けられている記憶エリアの構成を示す模式図であり、図８は、集計結果記憶エリア１２３の構成を示す模式図である。
【００４０】
図７に示すように、ＲＡＭ１２には、表示中コンテンツＩＤ記憶エリア１２１，表示中ページ番号記憶エリア１２２，集計結果記憶エリア１２３，マーク位置記憶エリア１２４，マーク文字列記憶エリア１２５，関連情報記憶エリア１２６，印刷データ記憶エリア１２７，ワークエリア１２８が少なくとも設けられている。表示中コンテンツＩＤ記憶エリア１２１には、表示パネル１５に表示されているコンテンツを特定するコンテンツＩＤが「表示中コンテンツＩＤ」として記憶される。表示中ページ番号記憶エリア１２２には、表示パネル１５に表示されているコンテンツのページ番号が「表示中ページ番号」として記憶される。集計結果記憶エリア１２３には、コンテンツ閲覧時の操作履歴（履歴情報、図６参照）を集計した情報（集計結果）が記憶される。マーク位置記憶エリア１２４には、マーキングされた文字列のページ中の位置が記憶され、マーク文字列記憶エリア１２５には、マーキングされた文字列が記憶される。関連情報記憶エリア１２６には、印刷コンテンツの裏面に印刷される情報を示す情報が記憶される。印刷データ記憶エリア１２７には、印刷装置２へ送信される印刷データが記憶される。ワークエリア１２８には、表示端末プログラムを実行する上で必要となる種々の値が記憶される。
【００４１】
図８に示すように、集計結果記憶エリア１２３には、切替後コンテンツＩＤ欄、切替後ページ番号欄、切替方法欄、回数欄が設けられている。この集計結果記憶エリア１２３は、コンテンツの印刷指示が行われた際に、印刷コンテンツに関する履歴情報が抽出され、切替方法、切替後コンテンツＩＤ、切替後ページ番号毎に集計されて記憶される。切替後コンテンツＩＤ欄には、切替後のコンテンツのコンテンツＩＤが記憶され、切替後ページ番号欄には、切替後のコンテンツのページ番号が記憶され、切替方法欄には切替方法が記憶される。そして、回数欄には、履歴情報にある、その切替後コンテンツＩＤ，切替後ページ番号，切替方法の組み合わせの印刷コンテンツの情報の数が記憶される。
【００４２】
図８に示す例は、図６に示した履歴情報をコンテンツＩＤ「０７０７１７０１」が印刷指示された際に集計したものである。切替後コンテンツＩＤ「０７０７１７０１」、切替後ページ番号「２」、切替方法「ページめくり」の履歴が１つあり、切替後コンテンツＩＤ「０７０７１７３５」、切替後ページ番号「１」、切替方法「リンクジャンプ」の履歴が３つあり、切替後コンテンツＩＤ「０７０７１７０８」、切替後ページ番号「３」、切替方法「リンクジャンプ」の履歴が１つあり、切替後コンテンツＩＤ「０７０７１７０１」、切替後ページ番号「５」、切替方法「ページ番号指定」の履歴が１つある。
【００４３】
次に、図９乃至図１１を参照して、表示パネル１５に表示される画面について説明する。図９は、メニュー画面１０１の模式図であり、図１０は、ページ指定ジャンプ画面１０２の模式図であり、図１１は、マーキング指示画面１０３の模式図である。
【００４４】
図９に示すように、メニュー画面１０１には、ページ指定ジャンプボタン１０１１，マーキングボタン１０１２，印刷ボタン１０１３が設けられている。このメニュー画面１０１は、メニューキー１６１が押下されると表示される。そして、ページ指定ジャンプボタン１０１１がタッチされると、指定のページへ表示を切り替えさせるためのページ指定ジャンプ画面１０２（図１０参照）が表示される。マーキングボタン１０１２がタッチされると、単語にマーキングをするためのマーキング指示画面１０３（図１１参照）が表示される。印刷ボタン１０１３がタッチされると、表示中コンテンツ（メニュー画面１０１が表示される直前に表示されていたコンテンツ）の印刷データが作成され、印刷装置２へ印刷データが送信される。
【００４５】
図１０に示すように、ページ指定ジャンプ画面１０２には、ページ指定入力欄１０２１及びジャンプボタン１０２２が設けられている。ページ指定入力欄１０２１では、図１０に示すように、３桁の数字を指定できる。数字の上にある上向きの三角をタッチすると数字が「１」大きくなり、数字の下にある下向きの三角を立ちすると数字が「１」小さくなる。ジャンプボタン１０２２をタッチすると、ページ指定入力欄１０２１に示されている数字のページが表示される。
【００４６】
図１１に示すように、マーキング指示画面１０３には、表示中コンテンツの表示中ページ番号の文字列が表示されており、下部に「※ペンでマーキングして下さい」という指示が表示されている。ペン２１で、文字の上をなぞるとなぞられた軌跡に配置されている文字がマーキングの対象の文字列とされる。
【００４７】
次に、図１２を参照して、コンテンツデータについて説明する。図１２は、図１に示した表示端末１の模式図の表示パネル１５に表示されている情報のコンテンツデータ２００を示す模式図である。図１２に示すように、コンテンツデータはＨＴＭＬと呼ばれるマークアップ言語で記載されている。図１２に示す文字列２０１は、「<TITLE>電子ドキュメントビューワ</TITLE>」，「<META NAME="PAGENUM" CONTENT="3">」である。上の行は、このコンテンツのコンテンツ名が「電子ドキュメントビューワ」であることを示しており、下の行はコンテンツ情報記憶エリア２１０にこのコンテンツが「PAGENUM」というファイル名で記憶されており、コンテンツＩＤが「３」であることを示している。文字列２０２は、「<A NAME="Page1">」であり、このページが１ページ目であることを示している。そして、文字列２０３は、「<!--  MARK LINE=6 ROW=7 TO=10 STRING="数値入力" -->」であり、表示パネル１５に表示した際の６行目の７文字目から１０文字目までの「数値入力」という文字列がマーキングされていることを示している。以下、この記載を「マーク記述」という。なお、表示パネル１５に表示される行数及び１行の文字数は固定の値とされている。そして、文字列２０４は、「<A HREF="#Page8">目次</A>」であり、「目次」という「文字列に表示中コンテンツの３５ページへ切り替える」リンクが張られていることを示している。ここでは、表示中コンテンツが「リンク先コンテンツ」に該当し、「<A HREF="#Page8">」がリンク情報に該当し、「目次」が「リンク対応情報」に該当する。そして、文字列２０５は、「<A HREF="07070105">電子ドキュメントビューワ</A>」であり、「電子ドキュメントビューワ」という文字列にコンテンツＩＤ「0707105」の１ページへ切り替えるリンクが張られていることを示している。
【００４８】
次に、図１３乃至図１８のフローチャートを参照して、表示端末１の動作について説明する。図１３は、コンテンツ一覧処理のフローチャートであり、図１４は、コンテンツ表示中処理のフローチャートであり、図１５は、メニュー処理のフローチャートである。図１６は、ジャンプ処理のフローチャートであり、図１７は、マーキング処理のフローチャートである。図１８は、印刷処理のフローチャートである。
【００４９】
まず、図１３を参照して、コンテンツ一覧処理について説明する。表示端末１では、電源が投入され、初期処理（例えば、動作確認、メモリチェック）が行われると、コンテンツ一覧処理が実施される。そこで、まず、表示パネル１５にメモリカード２０のコンテンツ情報記憶エリア２１０に記憶されているコンテンツの一覧が表示される（Ｓ１）。ここでは、コンテンツ名がリスト形式で表示される。そして、ペン２１がタッチパネル１９に接触したか否か（タップされたか否か）の判断が行われる（Ｓ２）。タップされていなければ（Ｓ２：ＮＯ）、Ｓ２へ戻り、ペン２１によるタップの監視が繰り返し行われる。
【００５０】
そして、ペン２１によりタップされた場合には（Ｓ２：ＹＥＳ）、タッチパネル１９のタップされている位置に対応した表示パネル１５の位置が、コンテンツ名が表示されている位置であるか否かの判断が行われる（Ｓ３）。タップされた位置にコンテンツ名が表示されていなければ（Ｓ３：ＮＯ）、Ｓ２へ戻り、ペン２１によるタップの監視が繰り返し行われる。一方、タップされた位置にコンテンツ名が表示されていれば（Ｓ３：ＹＥＳ）、タップされた位置に表示されているコンテンツ名のコンテンツが表示中コンテンツとされ、その１ページが表示中ページ番号とされる（Ｓ４）。具体的には、タップされた位置に表示されているコンテンツ名のコンテンツのコンテンツＩＤが表示中コンテンツＩＤ記憶エリア１２１に記憶され、「１」が表示中ページ番号記憶エリア１２２に記憶される。そして、コンテンツ表示中処理（図１４参照）へ進む。
【００５１】
図１４に示すように、コンテンツ表示中処理では、まず、表示パネル１５にコンテンツが表示される（Ｓ１０）。ここでは、表示中コンテンツＩＤ記憶エリアに記憶されているコンテンツＩＤのコンテンツの、表示中ページ番号記憶エリア１２２に記憶されているページ番号の情報がメモリカード２０のコンテンツ情報記憶エリア２１０から読み出され、表示パネル１５に表示される。ここでは、コンテンツ一覧処理のＳ４で記憶されたコンテンツの１ページが表示される。
【００５２】
次いで、前頁キー１６３が押下されたか否かの判断が行われる（Ｓ１１）。前頁キー１６３が押下されていれば（Ｓ１１：ＹＥＳ）、表示されているページの１つ前のページに表示を更新する処理が行われる（Ｓ２１〜Ｓ２４）。具体的には、表示中ページ番号記憶エリア１２２に記憶されているページ番号が「２」以上であるか否かの判断が行われる（Ｓ２１）。２以上でなければ（Ｓ２１：ＮＯ）、ページ番号は「１」であり、１つ前のページは存在しないので、そのままＳ１１へ戻る。また、ページ番号が２以上であれば（Ｓ２１：ＹＥＳ）、１つ前のページを表示させることができる。そこで、まず、履歴情報記憶エリア２２０に履歴情報が書き込まれる（Ｓ２２）。ここでは、履歴情報記憶エリア２２０の切替前情報欄及び切替後コンテンツＩＤ欄に、表示中コンテンツＩＤ記憶エリア１２１に記憶されているコンテンツＩＤが記憶される。そして、切替方法欄に「ページめくり」を示す値が記憶され、切替後ページ番号に表示中ページ番号記憶エリア１２２に記憶されている値に「１」を加算した値が記憶される。次いで、表示中ページ番号記憶エリア１２２に「１」が加算される（Ｓ２３）。次いで、表示パネル１５の表示が更新される（Ｓ２４）。ここででは、表示中コンテンツＩＤ記憶エリアに記憶されているコンテンツＩＤのコンテンツの、表示中ページ番号記憶エリア１２２に記憶されているページ番号の情報が表示パネル１５に表示されるので、元々表示されていたコンテンツのページの１つ前のページが表示されることになる。そして、Ｓ１１へ戻る。
【００５３】
また、Ｓ１１で前頁キー１６３が押下されていなければ（Ｓ１１：ＮＯ）、次頁キー１６４が押下されたか否かの判断が行われる（Ｓ１２）。次頁キー１６４が押下されていれば（Ｓ１２：ＹＥＳ）、表示されているページの１つ次のページに表示を更新する処理が行われる（Ｓ３１〜Ｓ３４）。具体的には、表示中ページ番号記憶エリア１２２に記憶されているページ番号が、表示中コンテンツの最後のページ番号よりも小さいか否かの判断が行われる（Ｓ３１）。最後のページ番号よりも小さくなければ（Ｓ３１：ＮＯ）、最後のページが表示されており、次のページは存在しないので、そのままＳ１１へ戻る。また、ページ番号が最後のページ番号よりも小さければ（Ｓ３１：ＹＥＳ）、次のページを表示させることができる。そこで、まず、履歴情報記憶エリア２２０に履歴情報が書き込まれる（Ｓ３２）。ここでは、履歴情報記憶エリア２２０の切替前情報欄及び切替後コンテンツＩＤ欄に、表示中コンテンツＩＤ記憶エリア１２１に記憶されているコンテンツＩＤが記憶される。そして、切替方法欄に「ページめくり」を示す値が記憶され、切替後ページ番号に表示中ページ番号記憶エリア１２２に記憶されている値から「１」減算された値が記憶される。次いで、表示中ページ番号記憶エリア１２２から「１」減算される（Ｓ３３）。次いで、表示パネル１５の表示が更新される（Ｓ３４）。ここでは、表示中コンテンツＩＤ記憶エリアに記憶されているコンテンツＩＤのコンテンツの、表示中ページ番号記憶エリア１２２に記憶されているページ番号の情報が表示パネル１５に表示されるので、元々表示されていたコンテンツのページの次のページが表示されることになる。そして、Ｓ１１へ戻る。
【００５４】
また、Ｓ１２で次頁キー１６４が押下されていなければ（Ｓ１２：ＮＯ）、一覧キー１６２が押下されたか否かの判断が行われる（Ｓ１３）。一覧キー１６２が押下されていれば（Ｓ１３：ＹＥＳ）、コンテンツ一覧処理（図１３参照）へ進む。コンテンツ一覧処理では、前述したようにコンテンツの一覧が表示され（Ｓ１）、ペン２１によりコンテンツ名がタップされるまで、ペン２１によるタップの監視が繰り返し行われる（Ｓ２：ＮＯ）。コンテンツ名がタップされたら、そのコンテンツの１ページが表示コンテンツの表示ページとされ（Ｓ４）、コンテンツ表示中処理へ進み、タップされたコンテンツの１ページが表示パネル１５に表示される（Ｓ１０）。
【００５５】
また、Ｓ１３で一覧キー１６２が押下されていなければ（Ｓ１３：ＮＯ）、メニューキー１６１が押下されたか否かの判断が行われる（Ｓ１４）。メニューキー１６１が押下されていれば（Ｓ１４：ＹＥＳ）、メニュー処理（図１５参照）へ進む。メニュー処理については、図１５乃至図１８を参照して後述する。
【００５６】
また、Ｓ１４でメニューキー１６１が押下されていなければ（Ｓ１４：ＮＯ）、ペン２１によりタップされたか否かの判断が行われる（Ｓ１５）。タップされていれば（Ｓ１５：ＹＥＳ）、タッチパネル１９のタップされている位置に対応した表示パネル１５の位置が、リンク情報が対応付けられた文字（リンク対応情報）を表示している位置であるか否かの判断が行われる（Ｓ４１）。以下、リンク情報が対応付けられた文字を表示している位置を「リンク指定位置」という。リンク指定位置がタップされていれば（Ｓ４１：ＹＥＳ）、履歴情報記憶エリア２２０に履歴情報が書き込まれる（Ｓ４２）。ここでは、履歴情報記憶エリア２２０の切替前情報欄に、表示中コンテンツＩＤ記憶エリア１２１に記憶されているコンテンツＩＤが記憶され、切替方法欄に「リンクジャンプ」を示す値が記憶される。そして、切替後情報欄の切替後コンテンツＩＤ欄には、リンク情報が示しているコンテンツＩＤが記憶され、切替後ページ番号欄にリンク情報が示しているページ番号が記憶される。図１２に示した文字列２０４の例「<A HREF="#Page35">」では、表示中コンテンツＩＤ「07071701」が切替後コンテンツＩＤ欄に記憶され、「#Page」と「"」で囲まれた「35」が切替後ページ番号欄に記憶される。また、文字列２０５の例「<A HREF="07070105">電子ドキュメントビューワ</A>」では、「07070105」が切替後コンテンツＩＤ欄に記憶され、「1」が切替後ページ番号欄に記憶される。
【００５７】
そして、切替後コンテンツＩＤ欄に記憶されたコンテンツＩＤが表示中コンテンツＩＤ記憶エリア１２１に記憶され、切替後ページ番号欄に記憶されたページ番号が表示中ページ番号記憶エリア１２２に記憶される（Ｓ４３）。次いで、表示パネル１５の表示が更新される（Ｓ４４）。ここでは、表示中コンテンツＩＤ記憶エリアに記憶されているコンテンツＩＤのコンテンツの、表示中ページ番号記憶エリア１２２に記憶されているページ番号の情報が表示パネル１５に表示されるので、リンク先のコンテンツのページが表示されることになる。そして、Ｓ１１へ戻る。
【００５８】
また、タップされていなければ（Ｓ１５：ＮＯ）、Ｓ１１へ戻り、繰り返しＳ１１〜Ｓ１５の処理が行われて、ユーザによる各種操作キー１６又はペン２１によるタップの入力の受け付け処理が行われる。
【００５９】
次に、図１５を参照して、メニューキー１６１の押下（図１４、Ｓ１４：ＹＥＳ）により実施されるメニュー処理について説明する。図１５に示すように、まず、メニュー画面１０１が表示パネル１５に表示される（Ｓ５１）。そして、ペン２１によりタップされたか否かの判断が行われる（Ｓ５２）。タップされていなければ（Ｓ５２：ＮＯ）、ペン２１によるタップの監視が繰り返し行われる（Ｓ５２）。タップされた場合には（Ｓ５２：ＹＥＳ）、タッチパネル１９のタップされている位置に対応した表示パネル１５の位置が、ページ指定ジャンプボタン１０１１が表示されている位置であるか否かの判断が行われる（Ｓ５３）。タップされた位置が、ページ指定ジャンプボタン１０１１の位置で合った場合には（Ｓ５３：ＹＥＳ）、ジャンプ処理（図１６参照）へ進む。ジャンプ処理については、図１６を参照して後述する。
【００６０】
また、図１５に示すメニュー処理において、タップされた位置が、ページ指定ジャンプボタン１０１１の位置でなかった場合には（Ｓ５３：ＮＯ）、タッチパネル１９のタップされている位置に対応した表示パネル１５の位置が、マーキングボタン１０１２が表示されている位置であるか否かの判断が行われる（Ｓ５４）。タップされた位置が、マーキングボタン１０１２の位置で合った場合には（Ｓ５４：ＹＥＳ）、マーキング処理（図１７参照）へ進む。マーキング処理については、図１７を参照して後述する。
【００６１】
また、図１５に示すメニュー処理において、タップされた位置が、マーキングボタン１０１２の位置でなかった場合には（Ｓ５４：ＮＯ）、タッチパネル１９のタップされている位置に対応した表示パネル１５の位置が、印刷ボタン１０１３が表示されている位置であるか否かの判断が行われる（Ｓ５５）。タップされた位置が、印刷ボタン１０１３の位置で合った場合には（Ｓ５５：ＹＥＳ）、印刷処理（図１８参照）へ進む。印刷処理については、図１８を参照して後述する。
【００６２】
また、図１５に示すメニュー処理において、タップされた位置が、印刷ボタン１０１３の位置でなかった場合には（Ｓ５５：ＮＯ）、Ｓ５２へ戻り、ペン２１によるタップの監視が繰り返し行われる（Ｓ５２）。以上のようにして、メニュー処理では、メニュー画面１０１へのユーザの指示に応じた処理が行われる。
【００６３】
次に、図１６のフローチャートを参照して、ページ指定ジャンプボタン１０１１のタップ（図１５、Ｓ５３：ＹＥＳ）により行われるジャンプ処理について説明する。図１６に示すように、ジャンプ処理では、まず、ページ指定ジャンプ画面１０２（図１０参照）のページ指定入力欄１０２１に表示させる数値について、一の桁を「１」、十の桁を「０」、百の桁を「０」とされる（Ｓ６１）。なお、一の桁、十の桁、百の桁はＲＡＭ１２のワークエリア１２８に記憶エリアが設けられている。そして、ページ指定ジャンプ画面１０２が表示パネル１５に表示される（Ｓ６２）。そして、ペン２１によりタップされたか否かの判断が行われる（Ｓ６３）。タップされていなければ（Ｓ６３：ＮＯ）、ペン２１によるタップの監視が繰り返し行われる（Ｓ６３）。
【００６４】
タップされた場合には（Ｓ６３：ＹＥＳ）、タッチパネル１９のタップされている位置に対応した表示パネル１５の位置が、ページ指定入力欄１０２１の各桁の上下指示の第一であるか否かの判断が行われる（Ｓ６４）。上下指示の位置であれば（Ｓ６４：ＹＥＳ）、対応する桁の数値が増減される（Ｓ６５）。具体的には、一の桁の上指示であれば、一の桁の数値が「１」加算される。なお、一の桁が「９」であった場合には、一の桁は「０」とされる。一の桁の下指示であれば、一の桁の数値から「１」減算される。なお、一の桁が「１」であった場合には「１」のままとされる。十の桁の上指示であれば、十の桁の数値が「１」加算される。なお、十の桁が「９」であった場合には、十の桁は「０」とされる。十の桁の下指示であれば、十の桁の数値から「１」減算される。なお、十の桁が「０」であった場合には「０」のままとされる。百の桁の上指示であれば、百の桁の数値が「１」加算される。なお、百の桁が「９」であった場合には、百の桁は「０」とされる。百の桁の下指示であれば、百の桁の数値から「１」減算される。なお、百の桁が「０」であった場合には「０」のままとされる。そして、Ｓ６３へ戻り、ペン２１によるタップの監視が繰り返し行われる（Ｓ６３）。
【００６５】
また、タップされた位置が上下指示の位置でなければ（Ｓ６４：ＮＯ）、ジャンプボタン１０２２が表示されている位置であるか否かの判断が行われる（Ｓ６６）。ジャンプボタン１０２２が表示されている位置であれば（Ｓ６６：ＹＥＳ）、ページ指定入力欄１０２１に示されている数字のページが表示される（Ｓ６７〜Ｓ７２）。まず、ページ指定入力欄１０２１に示されたページ番号が「一の桁＋十の桁×１０＋百の桁×１００」で算出され、確定ページ番号とされる（Ｓ６７）。そして、確定ページ番号が、表示中コンテンツの最後のページ番号以下であるか否かの判断が行われる（Ｓ６８）。
【００６６】
確定ページ番号が表示中コンテンツの最後のページ番号以下であれば（Ｓ６８：ＹＥＳ）、確定ページ番号の情報が表示パネル１５に表示されることになる。そこで、履歴情報記憶エリア２２０に履歴情報が書き込まれる（Ｓ６９）。ここでは、履歴情報記憶エリア２２０の切替前情報欄及び切替後コンテンツＩＤ欄に、表示中コンテンツＩＤ記憶エリア１２１に記憶されているコンテンツＩＤが記憶される。そして、切替方法欄に「ページ番号指定」を示す値が記憶され、切替後ページ番号欄にＳ６７で算出された確定ページ番号が記憶される。次いで、表示中ページ番号記憶エリア１２２に確定ページ番号が記憶される（Ｓ７０）。そして、コンテンツ表示中処理（図１４参照）へ進む。前述したように、コンテンツ表示中処理では、Ｓ１０で表示パネル１５の表示が更新される（Ｓ１０）。ここでは、表示中コンテンツＩＤ記憶エリアに記憶されているコンテンツＩＤのコンテンツの、表示中ページ番号記憶エリア１２２に記憶されているページ番号の情報が表示パネル１５に表示されるので、メニュー画面１０１が表示される前に表示されていたコンテンツの、ページ指定ジャンプ画面１０２で指定されたページの情報が表示されることになる。
【００６７】
また、確定ページ番号が、表示中コンテンツの最後のページ番号以下でない場合には（Ｓ６８：ＮＯ）、表示中コンテンツの最後のページが表示パネル１５に表示されることになる。そこで、履歴情報記憶エリア２２０に履歴情報が書き込まれる（Ｓ７１）。ここでは、履歴情報記憶エリア２２０の切替前情報欄及び切替後コンテンツＩＤ欄に、表示中コンテンツＩＤ記憶エリア１２１に記憶されているコンテンツＩＤが記憶される。そして、切替方法欄に「ページ番号指定」を示す値が記憶され、切替後ページ番号欄に表示中コンテンツの最後のページ番号が記憶される。次いで、表示中ページ番号記憶エリア１２２に表示中コンテンツの最後のページ番号が記憶される（Ｓ７２）。そして、コンテンツ表示中処理（図１４参照）へ進む。前述したように、コンテンツ表示中処理では、Ｓ１０で表示パネル１５の表示が更新される（Ｓ１０）。ここでは、表示中コンテンツＩＤ記憶エリアに記憶されているコンテンツＩＤのコンテンツの、表示中ページ番号記憶エリア１２２に記憶されているページ番号の情報が表示パネル１５に表示されるので、メニュー画面１０１が表示される前に表示されていたコンテンツの、ページ指定ジャンプ画面１０２で指定されたページの情報が表示されることになる。
【００６８】
また、Ｓ６６において、ジャンプボタン１０２２が表示されている位置でなければ（Ｓ６６：ＮＯ）、Ｓ６３へ戻り、ペン２１によるタップの監視が繰り返し行われる（Ｓ６３）。以上のようにして、ページ指定ジャンプ画面１０２を用いてユーザが指定したページへ、表示パネル１５の表示を更新させることができる。
【００６９】
次に、図１７のフローチャートを参照して、マーキングボタン１０１２のタップ（図１５、Ｓ５４：ＹＥＳ）により行われるマーキング処理について説明する。図１７に示すように、マーキング処理では、まず、マーキング指示画面１０３が表示される（Ｓ８１）。次いで、ペン２１により線分の入力があったか否かの判断が行われる（Ｓ８２）。線分の入力がなければ（Ｓ８２：ＮＯ）、ペン２１による線分入力の監視が繰り返し行われる（Ｓ８２）。また、線分入力があった場合には（Ｓ８２：ＹＥＳ）、線分の入力位置が、表示パネル１５の文字に対応した位置であるか否かの判断が行われる（Ｓ８３）。文字（１又は複数の連続した文字列）に対応した位置でなければ（Ｓ８３：ＮＯ）、マーキングする文字列が特定できないので、Ｓ８３へ戻り、ペン２１による線分入力の監視が繰り返し行われる（Ｓ８２）。
【００７０】
線分入力の位置が文字に対応した位置であれば（Ｓ８３：ＹＥＳ）、その位置の文字列がマーキング対象の文字列であるマーク文字列とされる。そこで、マーク文字列が表示パネル１５に表示されているページで何行目の何文字目から何文字目に該当するかという文字位置が、ＲＡＭ１２のマーク位置記憶エリア１２４に記憶され、マーク文字列がＲＡＭ１２のマーク文字列記憶エリア１２５に記憶される（Ｓ８４）。そして、表示中コンテンツの中に、マーキング記載が追加される（Ｓ８５）。マーキング記載は、図１２に示した文字列２０３（「<!--  MARK LINE=6 ROW=7 TO=10 STRING="数値入力" -->」）のように、マーク文字列の位置とマーク文字列が記載されている。そこで、「LINE=」にマーク文字列の最初の文字がある行数が続けられ、「ROW=」にマーク文字列の最初の文字がその行の何文字目であるかを示す値が続けられる。そして、「TO=」にマーク文字列の最後の文字がその行の何文字目であるかを示す値が続けられる。「STRING=」にマーク文字列を「"」で挟んだものが続けられる。そして、コンテンツ表示中処理へ進む。コンテンツ表示中処理では、Ｓ１０で表示パネル１５の表示が更新される（Ｓ１０）。ここでは、マーキング記載が追加された状態で表示中コンテンツが表示パネル１５に表示される。なお、本実施の形態では、マーキングは１つの行内でのみ指定することができ、簡単のため、複数行に渡る文字列を指定することはできないものとする。
【００７１】
次に、図１８のフローチャートを参照して、印刷ボタン１０１３のタップ（図１５、Ｓ５５：ＹＥＳ）により行われる印刷処理について説明する。図１８に示すように、印刷処理では、履歴情報記憶エリア２２０に記憶されている履歴情報が集計され、集計結果記憶エリア１２３に記憶される（Ｓ９１）。具体的には、まず、表示中コンテンツＩＤ記憶エリア１２１に記憶されている表示中コンテンツＩＤのデータが抽出される。つまり、履歴情報記憶エリア２２０の切替前情報欄に表示中コンテンツＩＤが記憶されている情報が抽出される。そして、抽出されたデータの切替方法欄、切替後コンテンツＩＤ欄、切替後ページ番号欄の値がそれぞれ集計結果記憶エリア１２３の切替方法欄、切替後コンテンツＩＤ欄、切替後ページ番号欄に記憶され、回数欄に「１」が記憶される。また、既に集計結果記憶エリア１２３の切替方法欄、切替後コンテンツＩＤ欄、切替後ページ番号欄に記憶されているデータである場合には、回数欄に「１」が加算される。
【００７２】
次いで、切替方法が「リンクジャンプ」の操作があったか否かの判断が行われる（Ｓ９２）。集計結果記憶エリア１２３の切替方法欄に「リンクジャンプ」を示す値が記憶されていれば（Ｓ９２：ＹＥＳ）、切替方法欄に「リンクジャンプ」を示す値が記憶されているデータのうち、最も回数欄の値が大きいデータが抽出され、そのデータの切替後コンテンツＩＤ欄の示すコンテンツＩＤ、及び、切替後ページ番号欄の示すページ番号が関係情報としてＲＡＭ１２の関係情報記憶エリア１２６に記憶される（Ｓ９５）。そして、印刷ページを表面に印刷し、裏面に関係情報記憶エリア１２６に記憶されているコンテンツのページを裏面に印刷する印刷データが作成され印刷データ記憶エリア１２７に記憶され印刷データ記憶エリア１２７に記憶され（Ｓ１００）、印刷装置２へ送信される（Ｓ１０１）。そして、コンテンツ表示中処理へ進む。なお、Ｓ１０１において、印刷装置２が接続されていない場合には、その旨を示すエラーメッセージ（図示外）を表示して、コンテンツ表示中処理へ進む。
【００７３】
また、「リンクジャンプ」の操作がない場合には（Ｓ９２：ＮＯ）、「ページ番号指定」の操作があったか否かの判断が行われる（Ｓ９３）。集計結果記憶エリア１２３の切替方法欄に「ページ指定」を示す値が記憶されていれば（Ｓ９３：ＹＥＳ）、切替方法欄に「ページ番号指定」を示す値が記憶されているデータのうち、最も回数欄の値が大きいデータが抽出され、そのデータの切替後コンテンツＩＤ欄の示すコンテンツＩＤ、及び、切替後ページ番号欄の示すページ番号が関係情報としてＲＡＭ１２の関係情報記憶エリア１２６に記憶される（Ｓ９６）。そして、印刷ページを表面に印刷し、裏面に関係情報記憶エリア１２６に記憶されているコンテンツのページを裏面に印刷する印刷データが作成され印刷データ記憶エリア１２７に記憶され（Ｓ１００）、印刷装置２へ送信される（Ｓ１０１）。そして、コンテンツ表示中処理へ進む。
【００７４】
また、「ページ番号指定」の操作がない場合には（Ｓ９３：ＮＯ）、印刷指示されたコンテンツ、つまり印刷ページにマーキングがあるか否かの判断が行われる（Ｓ９４）。ここでは、印刷ページにマーク記載があるか否かにより判断される。マーク記載があり、マーキングがある場合には（Ｓ９４：ＹＥＳ）、ＲＯＭ１１の辞書インデックス記憶エリア１１３に記憶されている辞書インデックスからマーク文字列をキーワードとするキーワードページが抽出される（Ｓ９７）。なお、マーク文字列が複数ある場合には、最も数の多い文字列が辞書インデックスからキーワードページ抽出の際のキーワードとされる。また、最も数の多いマーク文字列が複数ある場合には、出現位置がページの最も前にあるマーク文字列がキーワードとされる。なお、マーク文字列が辞書インデックスにキーワードとして登録されていない場合には、それ以外のマーク文字列がキーワードとされる。そして、抽出されたキーワードページが関連情報としてＲＡＭ１２の関係情報記憶エリア１２６に記憶される（Ｓ９８）。そして、印刷ページを表面に印刷し、裏面に関係情報記憶エリア１２６に記憶されているキーワードページを裏面に印刷する印刷データが作成され印刷データ記憶エリア１２７に記憶され（Ｓ１００）、印刷装置２へ送信される（Ｓ１０１）。そして、コンテンツ表示中処理へ進む。
【００７５】
また、マーキングがない場合やマーク文字列が辞書インデックスにキーワードとして登録されていない場合には（Ｓ９４：ＮＯ）、関連情報記憶エリア１２６には関連情報ないことを示す値が記憶され（Ｓ９９）、印刷ページを表面に印刷するのみの印刷データが作成されて（Ｓ１００）、印刷装置２へ送信される（Ｓ１０１）。そして、コンテンツ表示処理へ進む。
【００７６】
以上のようにして、ユーザの操作の履歴が蓄積された履歴情報に基づいて、裏面に印刷する関係情報を決定することができる。よって、ユーザが印刷指示した印刷ページの裏面には、ユーザが印刷ページのコンテンツを閲覧していた際に、リンクジャンプ又はページ指定により表示を更新させたコンテンツの中から選ばれたコンテンツが印刷されることになる。また、リンクジャンプやページ指定により表示を更新させていない場合には、印刷ページでマーキングされている文字列に対応した辞書情報が裏面に印刷される。したがって、ユーザが印刷コンテンツとの関連を意識したコンテンツや、印刷コンテンツ中で意識した文字列の辞書情報が印刷される。
【００７７】
なお、上記実施の形態のメモリカード２０のコンテンツ情報記憶エリア２１０が「コンテンツ記憶手段」に該当する。コンテンツデータのうち、表示パネル１５に一度に表示可能なコンテンツデータの一部（本実施の形態では、ページ毎のコンテンツデータ）が「表示対象情報」に該当する。メモリカード２０の履歴情報記憶エリア２２０が「切替履歴記憶手段」に該当し、切替前情報欄に記憶されるコンテンツＩＤに対応するコンテンツのコンテンツデータが「切替前情報」に該当し、切替後情報欄に記憶されるページ番号のコンテンツデータが「切替後情報」に該当する。ＲＡＭ１２の関連情報記憶エリア１２６に記憶されているページ番号のコンテンツデータが「対応切替後情報」に該当する。印刷ページが「印刷部分」に該当する。
【００７８】
また、上記実施の形態において、図１６に示すジャンプ処理において、ジャンプボタン１０２２へのタップを受け付ける処理（Ｓ６３：ＹＥＳ、Ｓ６６：ＹＥＳ）を行うＣＰＵ１０、コンテンツを表示中の画面のリンク対応情報へのタップを受け付ける処理（Ｓ１５：ＹＥＳ、Ｓ４１：ＹＥＳ）を行うＣＰＵ１０が「切替指示手段」に相当する。また、図１４に示すマーキング処理において、マーキング指示画面１０３へのペン２１によるマーク文字列の指示を受け付ける処理（Ｓ８２：ＹＥＳ、Ｓ８３：ＹＥＳ）を行うＣＰＵ１０が「マーキング手段」に相当する。また、図１６に示すジャンプ処理のＳ７０，Ｓ７２で表示中ページ番号を更新し、続くコンテンツ表示中処理のＳ１０において表示パネル１５の表示を更新する処理を行うＣＰＵ１０、及び、図１４に示すコンテンツ表示中処理のＳ４３において表示中コンテンツＩＤ及び表示中ページ番号を更新し、Ｓ４４において表示パネル１５の表示を更新する処理を行うＣＰＵ１０が「切替手段」に相当する。
【００７９】
図１８に示す印刷処理のＳ１００で印刷データを作成する処理を行うＣＰＵ１０が「第一印刷データ作成手段」及び「第二印刷データ作成手段」に相当する。詳細には、裏面にコンテンツのページが印刷される場合には、「第一印刷データ作成手段」に相当し、裏面に印刷する情報がマーク文字列に対応したキーワードページである場合には、「第二印刷データ作成手段」に相当する。そして、Ｓ１０１で印刷データを送信する処理を行うＣＰＵ１０が「第一印刷データ送信手段」及び「第二印刷データ送信手段」に相当する。詳細には、裏面にコンテンツのページが印刷される場合には、「第一印刷データ送信手段」に相当し、裏面に印刷する情報がマーク文字列に対応したキーワードページである場合には、「第二印刷データ送信手段」に相当する。
【００８０】
なお、本発明の表示端末１及び表示端末プログラムは、上記した実施の形態に限定されるものではなく、本発明の要旨を逸脱しない範囲内において種々変更を加え得ることは勿論である。上記実施の形態では、コンテンツに文字のみを用いているが、画像や動画が含まれていてもよいことが言うまでもない。
【００８１】
また、上記実施の形態では、コンテンツをページ毎に記憶しているが、ページ毎に記憶しなくてもよい。例えば、ページ単位でコンテンツデータを構成するのではなく、コンテンツデータはコンテンツの内容を区切りのない１つのデータとして構成する。ページ単位で構成されている場合には、表示パネル１５に１ページ分として表示される情報の区切りは決まってしまうが、ページ単位で構成されていない場合には、コンテンツデータのいずれの文字であってもページの最初の文字とすることができる。つまり、ページ単位で構成されていない場合には、コンテンツデータのうち、どの位置からを表示パネル１５に表示させるかを指定すればよい。そして、指定した文字から表示パネル１５に表示できるだけの情報が表示対象情報とされる。また、表示端末１が文字サイズを変更する機能を有する場合には、１ページに表示できる文字数も文字サイズに応じて増減される。また、どの位置からを表示パネル１５に表示させるかの指定は、文字数でなくともよい。例えば、コンテンツデータ中に章や段落といった区切りを埋め込み、章番号や段落番号を開始位置として指定し、開始位置から表示パネル１５に表示可能なだけの情報（表示対象情報）を表示させるようにしてもよい。また、開始位置を指定するのではなく、終了位置を指定して、終了位置から前方向に表示パネル１５に表示可能なだけの情報（表示対象情報）を表示させるようにしてもよい。例えば、「第１０段落の最後」を終了位置として指定する。
【００８２】
上記実施の形態では、コンテンツの印刷を指示する際に、表示しているページのみを印刷したが、コンテンツ一覧画面においてコンテンツの印刷指示を行えるようにしてもよい。また、コンテンツの印刷指示はメニュー画面を利用するものだけでなくともよい。例えば、表示端末１に印刷ボタンを設けて、ボタン操作により印刷指示を行うようにしたり、表示パネル１５に印刷ボタンを表示させて、タップにより印刷指示を行うようにしたりしてもよい。
【００８３】
また、上記実施の形態では、履歴情報を集計する際に「ページ指定」及び「リンクジャンプ」のみを集計し、「ぺーじめくり」は集計しなかったが、「ページめくり」も集計するようにしてもよい。また、図１８に示した印刷処理において、「リンクジャンプ」、「ページ番号指定」、「マーキング」の順で集計結果をチェックしているが、これはこの順に限らない。例えば、「マーキング」、「リンクジャンプ」、「ページ指定」の順であってもよい。また、切替方法やマーキングを考慮せずに、最も操作の多いものを関連情報としてもよい。この場合、切替方法については操作の回数、マーキングについてはマーク文字列の数を比較すればよい。また、履歴情報に登録日時を記録しておき、登録日時に基づいて関係情報を決定してもよい。例えば、最も最近の履歴情報を用いて関連情報とする。また、最近の１週間の履歴情報を集計して関連情報を決定する。
【００８４】
また、上記実施の形態では、関連情報を裏面に印刷したが、印刷する場所は印刷コンテンツの裏面でなくともよい。例えば、別の用紙に印刷したり、表面の一部に印刷したりしてもよい。また、表面に印刷する場合には縮小して印刷してもよい。また、上記実施の形態では、関連情報を１つとしたが、複数印刷してもよい。例えば、最も履歴の多いものでなく、最も多いものから所定数のコンテンツを印刷してもよい。マーキングがある場合には、辞書情報のある全てのマーク文字列についてマーク文字列と辞書情報を印刷してもよい。リンクジャンプの最も多かったページを１つと、ページ指定の最も多かったページを１つ関連情報としてもよい。
【００８５】
また、上記実施の形態では、「リンクジャンプ」によりリンク先のページを表示させる方法として、リンク情報が埋め込まれている文字列（リンク対応情報）をペン２１でタップするものを記載したが、リンク文字列の指定はペン２１でのタップ以外の方法を用いてもよい。例えば、ペン２１を用いずにユーザの指によりタップしてもよい。また、表示端末１にカーソルを移動させるキーを設け、カーソルでリンク文字列を選択させるようにしてもよい。
【００８６】
また、上記実施の形態では、履歴情報記憶エリア２２０に切替前情報としてコンテンツＩＤのみを記憶し、コンテンツに切替後情報を対応させている。しかしながら、切替前情報としてコンテンツＩＤのみでなく、表示パネル１５に表示させていたページ番号も記憶させてもよい。この場合には、ページ毎に切替後情報が対応されることになるので、印刷指示の操作が行われた際には、裏面には、印刷コンテンツのいずれかのページを表示中に行われた操作に基づく情報でなく、印刷ページを表示中に行われた操作に基づく情報が印刷される。
【図面の簡単な説明】
【００８７】
【図１】表示端末１の外観図である。
【図２】表示端末１の電気的構成を示すブロック図である。
【図３】ＲＯＭ１１に設けられている記憶エリアの構成を示す模式図である。
【図４】辞書インデックス記憶エリア１１３の構成を示す模式図である。
【図５】メモリカード２０に設けられている記憶エリアの構成を示す模式図である。
【図６】履歴情報記憶エリア２２０の構成を示す模式図である。
【図７】ＲＡＭ１２に設けられている記憶エリアの構成を示す模式図である。
【図８】集計結果記憶エリア１２３の構成を示す模式図である。
【図９】メニュー画面１０１の模式図である。
【図１０】ページ指定ジャンプ画面１０２の模式図である。
【図１１】マーキング指示画面１０３の模式図である。
【図１２】図１に示した表示端末１の模式図の表示パネル１５に表示されている情報のコンテンツデータ２００を示す模式図であるである。
【図１３】コンテンツ一覧処理のフローチャートである。
【図１４】コンテンツ表示中処理のフローチャートである。
【図１５】メニュー処理のフローチャートである。
【図１６】ジャンプ処理のフローチャートである。
【図１７】マーキング処理のフローチャートである。
【図１８】印刷処理のフローチャートである。
【符号の説明】
【００８８】
１  表示端末
２  印刷装置
１０  ＣＰＵ
１１  ＲＯＭ
１２  ＲＡＭ
１３  ＥＥＰＲＯＭ
１４  表示コントローラ
１５  表示パネル
１６  操作キー
１９  タッチパネル
２０  メモリカード
２１  ペン
１０１  メニュー画面
１０２  ページ指定ジャンプ画面
１０３  マーキング指示画面
１１２  辞書情報記憶エリア
１１３  辞書インデックス記憶エリア
１２１  表示中コンテンツＩＤ記憶エリア
１２２  表示中ページ番号記憶エリア
１２３  集計結果記憶エリア
１２６  関係情報記憶エリア
１２７  印刷データ記憶エリア
２１０  コンテンツ情報記憶エリア
２２０  履歴情報記憶エリア
【図１】
2009070273.tif 000003
【図２】
2009070273.tif 000004
【図３】
2009070273.tif 000005
【図４】
2009070273.tif 000006
【図５】
2009070273.tif 000007
【図６】
2009070273.tif 000008
【図７】
2009070273.tif 000009
【図８】
2009070273.tif 000010
【図９】
2009070273.tif 000011
【図１０】
2009070273.tif 000012
【図１１】
2009070273.tif 000013
【図１２】
2009070273.tif 000014
【図１３】
2009070273.tif 000015
【図１４】
2009070273.tif 000016
【図１５】
2009070273.tif 000017
【図１６】
2009070273.tif 000018
【図１７】
2009070273.tif 000019
【図１８】
2009070273.tif 000020